(57)【要約】      （修正有）【課題】配置の手間を減らすことができる鉄筋保持具を提供する。【解決手段】鉄筋保持具１は、型に当接する当接部２と、型から離間した位置で鉄筋を挟み込んで保持する一対の鉄筋保持部３が一直線方向に複数配される平面部５とを有する基部６を具備する。そして、平面部５に一直線方向と略直交する直交方向に延びる鉄筋の嵌め込まれる嵌込溝８が形成されている。これにより、鉄筋保持具１は交差する２つの鉄筋を保持することができるため、配置する鉄筋保持具１の数を減らすことができる。また、保持する２つの鉄筋が略直交しているため、鉄筋保持具１は容易に位置ずれを起こすこともない。このため、鉄筋保持具１の配置の手間を大幅に減らすことができる。【選択図】図１
0003230768.tif 000002
【実用新案登録請求の範囲】
【請求項１】
型に当接する当接部（２）と、型から離間した位置で鉄筋を挟み込んで保持する一対の鉄筋保持部（３）が一直線方向に複数対配される平面部（５）とを有する基部（６）を具備する鉄筋保持具（１）において、
前記平面部に前記一直線方向と略直交する直交方向に延びる鉄筋の嵌め込まれる嵌込溝（８）が形成されていることを特徴とする鉄筋保持具。
【請求項２】
請求項１に記載の鉄筋保持具において、
前記基部は、型に近づくにつれ先細る形状であることを特徴とする鉄筋保持具。
【請求項３】
請求項１に記載の鉄筋保持具において、
前記基部は前記平面部が広底面となる四角錘台状であり、
前記当接部が前記広底面と対向する狭底面（１０）の四隅に前記狭底面に対して垂直に凸設されていることを特徴とする鉄筋保持具。
【請求項４】
請求項３に記載の鉄筋保持具において、
前記基部に前記嵌込溝と前記狭底面とを接続する側面溝（１１）が形成されていることを特徴とする鉄筋保持具。
【請求項５】
請求項１〜請求項４のいずれか一つに記載の鉄筋保持具において、
前記鉄筋保持部はフック状に形成されていることを特徴とする鉄筋保持具。
【請求項６】
請求項１〜請求項４のいずれか一つに記載の鉄筋保持具において、
前記鉄筋保持部は前記一直線方向を幅とする板状体であることを特徴とする鉄筋保持具。
【考案の詳細な説明】
【技術分野】
【０００１】
本考案は、鉄筋保持具、特に、鉄筋と型との離間距離を保つべく鉄筋コンクリート構造物内に配される鉄筋保持具に関する。
【背景技術】
【０００２】
鉄筋コンクリート構造物の成型においては、先ず鉄筋同士を組み立て所定形状に配筋した後に型を周囲に配し、次いで型内面と型内面に最も近い鉄筋群に鉄筋保持具を装着して、型内面と鉄筋群との距離を適正に確保する工法が一般的となっている。これにより、鉄筋コンクリート構造物の表面と鉄筋群との距離を定められた規定値に保つことができる。
そこで、従来から、型に当接する当接部と、型から離間した位置で鉄筋を挟み込んで保持する一対の鉄筋保持部が一直線方向に複数対配される平面部とを有する基部を具備する鉄筋保持具が知られている（例えば、特許文献１参照。）。
【０００３】
しかし、特許文献１の鉄筋保持具では１つの鉄筋しか保持できないため、複数の鉄筋を保持するためには多数の鉄筋保持具が必要となってしまう。
また、保持した鉄筋を回動軸として自身が回動してしまい、鉄筋保持具が位置ずれを起こしてしまうことがあった。
【０００４】
このため、その都度鉄筋保持具の位置を修正する必要が生じてしまい鉄筋保持具の配置の手間が増えてしまう問題があった。
さらに鉄筋保持具は鉄筋コンクリート構造物内における異物となり得るため、数が増え鉄筋コンクリート構造物内の容積占有率が大きくなってしまうと鉄筋コンクリート構造物の強度等に関する不具合の原因となる虞もある。
【先行技術文献】
【特許文献】
【０００５】
【特許文献１】実用新案登録第３１６３３３６号公報
【考案の概要】
【考案が解決しようとする課題】
【０００６】
本考案は、上記の問題点を解決するためになされたものであり、配置の手間を減らすことができる鉄筋保持具を提供することにある。
【課題を解決するための手段】
【０００７】
本考案によれば、鉄筋保持具は、型に当接する当接部と、型から離間した位置で鉄筋を挟み込んで保持する一対の鉄筋保持部が一直線方向に複数対配される平面部とを有する基部を具備する。
そして、平面部に一直線方向と略直交する直交方向に延びる鉄筋の嵌め込まれる嵌込溝が形成されている。
【０００８】
これにより、鉄筋保持具は交差する２つの鉄筋を保持することができるため、配置する鉄筋保持具の数を減らすことができる。また、保持する２つの鉄筋が略直交しているため、鉄筋保持具は容易に位置ずれを起こすこともない。
このため、鉄筋保持具の配置の手間を大幅に減らすことができる。
さらに、鉄筋保持具の数を減らすことができるため、鉄筋コンクリート構造物内における異物の容積占有率を少なくすることもできる。
【図面の簡単な説明】
【０００９】
【図１】鉄筋保持具の斜視図である（第１実施例）。
【図２】鉄筋保持具と鉄筋との相関図である（第１実施例）。
【図３】鉄筋保持具の斜視図である（第２実施例）。
【図４】鉄筋保持具と鉄筋との相関図である（第２実施例）。
【図５】鉄筋保持具の斜視図である（変形例）。
【考案を実施するための形態】
【００１０】
以下、考案を実施するための形態を実施例に基づいて説明する。
【実施例】
【００１１】
［第１実施例］
本考案の第１実施例による鉄筋保持具１を図１、２に示す。
なお、以下の実施例は具体的な一例を開示するものであり、本考案が以下の実施例に限定されないことは言うまでもない。
【００１２】
鉄筋保持具１は、型に当接する当接部２と、型から離間した位置で鉄筋を挟み込んで保持する一対の鉄筋保持部３が一直線方向に複数対配される平面部５とを有する基部６を具備する。
なお、基部６はモルタル製、またはコンクリート製となっているため、型内に導入される生コンクリートとの親和性が高くなっている。
【００１３】
そして、鉄筋保持具１は、平面部５に一直線方向と略直交する直交方向に延びる鉄筋の嵌め込まれる嵌込溝８が形成されている。
また、鉄筋保持具１は、基部６が型枠に近づくにつれ先細る形状となっている。
さらに、鉄筋保持具１は、鉄筋保持部３がフック状に形成されている。
【００１４】
［第１実施例の効果］
鉄筋保持具１は、平面部５に一直線方向と略直交する直交方向に延びる鉄筋の嵌め込まれる嵌込溝８が形成されている。
これにより、鉄筋保持具１は交差する２つの鉄筋を保持することができるため、配置する鉄筋保持具１の数を減らすことができる。また、保持する２つの鉄筋が略直交しているため、鉄筋保持具１は容易に位置ずれを起こすこともない。
このため、鉄筋保持具１の配置の手間を大幅に減らすことができる。
【００１５】
なお、鉄筋コンクリート構造物内における異物となり得る鉄筋保持具１の容積占有率を減らすことができるため、鉄筋コンクリート構造物の異物の存在に起因する強度低下等に関する不具合の発生を抑制することもできる。
【００１６】
また、鉄筋保持具１は、基部６が型に近づくにつれ先細る形状となっている。
このため、鉄筋コンクリート構造物の表面に露出する鉄筋保持具１の面積を少なくすることができる。
さらに、鉄筋保持具１は、鉄筋保持部３がフック状に形成されている。このため、鉄筋保持部３の先端部が鉄筋を覆う構成となり、容易に鉄筋保持部３から鉄筋が外れることはない。
【００１７】
［第２実施例］
本発明の第２実施例による鉄筋保持具１を図３、４に示す。
第２実施例においては、第１実施例と異なる部分を中心に説明する。
なお、図中第１実施例と同一機能物には、同一符号を付して表している。
【００１８】
鉄筋保持具１は、基部６が平面部５を広底面とする四角錘台状であり、当接部２が広底面と対向する狭底面１０の四隅に狭底面１０に対して垂直に凸設されている。
また、基部６に嵌込溝８と狭底面１０とを接続する側面溝１１が形成されている。
【００１９】
［第２実施例の効果］
鉄筋保持具１は、当接部２が広底面と対向する狭底面１０の四隅に狭底面１０に対して垂直に凸設されている。
これにより、複数の当接部２が型に接触することになるため型との当接がより安定する。
また、基部６に嵌込溝８と狭底面１０とを接続する側面溝１１が形成されている。
これにより、側面溝１１を経由して型内に導入される生コンクリートをスムースに狭底面１０へと導くことができる。
【００２０】
［変形例］
本考案は、その要旨を逸脱しない範囲で様々な変形例を考えることができる。
実施例においては、鉄筋保持具１は、鉄筋保持部３を４対備えていたが、この数に特に拘るものではない。
【００２１】
また、実施例においては、鉄筋保持部３がフック状に形成されていたが、鉄筋保持部３を、図５に示すような一直線方向を幅とする板状体とすることもできる。
これにより、板状体の幅、厚さ等を変更することで鉄筋の保持力を容易に調整することができる。
なお、鉄筋保持部３を板状体とした場合、基部６への埋め込まれる領域が増加するため、基部６と鉄筋保持部３との接続強度は高くなる。
【符号の説明】
【００２２】
１  鉄筋保持具  ２  当接部  ３  鉄筋保持部  ５  平面部  ６  基部  ８  嵌込溝
【図１】
0003230768.tif 000003
【図２】
0003230768.tif 000004
【図３】
0003230768.tif 000005
【図４】
0003230768.tif 000006
【図５】
0003230768.tif 000007